【事件の表示】
　特願２０１５−２０２３６４「医用画像処理装置及びＸ線診断装置」拒絶査定不服審判事件〔平成２９年　４月２０日出願公開、特開２０１７−　７４１２３〕について、次のとおり審決する。
【結　論】
　本件審判の請求は、成り立たない。
【理　由】
第１　手続の経緯
　本願は、平成２７年１０月１３日の出願であって、令和元年６月４日付けで拒絶理由が通知され、同年８月９日付けで意見書及び手続補正書が提出され、同年１１月２６日付けで拒絶査定（以下「原査定」という。）されたところ、令和２年３月３日に拒絶査定不服審判の請求がなされ、同時に手続補正がなされたものである。
第２　本件補正について
１　本件補正の内容
（１）令和元年８月９日にされた手続補正により補正された（以下「本件補正前」という。）特許請求の範囲の請求項１〜５は、以下のとおりである。
　「【請求項１】
　造影剤を用いて経時的に収集された複数のＸ線画像における画素ごとの信号強度の経時的な遷移を取得する取得部と、
　前記信号強度の経時的な遷移において時系列的に隣接する信号の信号強度に基づいて、隣接する信号の信号強度の値と乖離する値を有する乖離信号の信号強度の値を除いて遷移するように、前記信号強度の経時的な遷移を補正する補正部と、
　を備える、医用画像処理装置。
　　【請求項２】
　前記補正部は、前記乖離信号を除いた後の各信号の信号強度の値を、各信号に対して時系列的に連続する所定数の信号の信号強度の平均値にそれぞれ置換することで、前記信号強度の経時的な遷移をさらに補正する、請求項１に記載の医用画像処理装置。
　　【請求項３】
　前記補正部は、隣接する２つの信号の信号強度の値に基づく傾きをそれぞれ算出し、算出した傾きを時系列的に前後する傾きとそれぞれ比較し、傾きの違いが共に所定の閾値を超えた傾きに含まれる信号を前記乖離信号と判定する、請求項１又は２に記載の医用画像処理装置。
　　【請求項４】
　前記補正部は、前記複数のＸ線画像において動的な部位が重なる領域に含まれる画素の信号強度の経時的な遷移を補正する、請求項１〜３のいずれか一項に記載の医用画像処理装置。
　　【請求項５】
　造影剤を用いた経時的な複数のＸ線画像を収集する収集部と、
　前記複数のＸ線画像における画素ごとの信号強度の経時的な遷移を取得する取得部と、
　前記信号強度の経時的な遷移において時系列的に隣接する信号の信号強度に基づいて、隣接する信号の信号強度の値と乖離する値を有する乖離信号の信号強度の値を除いて遷移するように、前記信号強度の経時的な遷移を補正する補正部と、
　を備える、Ｘ線診断装置。」
　
（２）令和２年３月３日にされた手続補正（以下「本件補正」という。）により補正された特許請求の範囲の請求項１〜５に係る発明（以下「本件補正発明１〜５」という。）は、以下のとおりである。
　「【請求項１】
　造影剤を用いて経時的に収集された複数のＸ線画像における画素ごとの信号強度の経時的な遷移を取得する取得部と、
　前記信号強度の経時的な遷移において時系列的に隣接する信号の信号強度に基づいて、隣接する信号の信号強度の値と乖離する値を有する乖離信号を除去した信号強度の経時的な遷移に補正する補正部と、
　を備える、医用画像処理装置。
　　【請求項２】
　前記補正部は、前記乖離信号を除去した後の各信号の信号強度の値を、各信号に対して時系列的に連続する所定数の信号の信号強度の平均値にそれぞれ置換することで、前記信号強度の経時的な遷移をさらに補正する、請求項１に記載の医用画像処理装置。
　　【請求項３】
　前記補正部は、隣接する２つの信号の信号強度の値に基づく傾きをそれぞれ算出し、算出した傾きを時系列的に前後する傾きとそれぞれ比較し、傾きの違いが共に所定の閾値を超えた傾きに含まれる信号を前記乖離信号と判定する、請求項１又は２に記載の医用画像処理装置。
　　【請求項４】
　前記補正部は、前記複数のＸ線画像において動的な部位が重なる領域に含まれる画素の信号強度の経時的な遷移を補正する、請求項１〜３のいずれか一項に記載の医用画像処理装置。
　　【請求項５】
　造影剤を用いた経時的な複数のＸ線画像を収集する収集部と、
　前記複数のＸ線画像における画素ごとの信号強度の経時的な遷移を取得する取得部と、
　前記信号強度の経時的な遷移において時系列的に隣接する信号の信号強度に基づいて、隣接する信号の信号強度の値と乖離する値を有する乖離信号を除去した信号強度の経時的な遷移に補正する補正部と、
　を備える、Ｘ線診断装置。」
２　補正の適否
　本件補正は、本件補正前の請求項１，５の「隣接する信号の信号強度の値と乖離する値を有する乖離信号の信号強度の値を除いて遷移するように」を、「隣接する信号の信号強度の値と乖離する値を有する乖離信号
を除去した信号強度の経時的な遷移に
除去した
　したがって、請求項１〜５に係る本件補正は適法になされたものである。
第３　原査定の拒絶の理由
　原査定の拒絶の理由は、この出願の請求項１，５に係る発明は，本願の出願前に頒布された又は電気通信回線を通じて公衆に利用可能となった下記の引用文献１に記載された発明であり、また、この出願の請求項１〜５に係る発明は、下記の引用文献１〜３，及び引用文献４〜９に記載される周知技術に基づいて，その出願日前にその発明の属する技術の分野における通常の知識を有する者（以下、「当業者」という。）が容易に発明をすることができたものであるから、特許法第２９条第２項の規定により，特許を受けることができない、というものである。
引用文献１：特開２０１４−２００３３９号公報
引用文献２：特開２０１１−１３５９３５号公報
引用文献３：特開２０１２−９５９２７号公報
引用文献４：国際公開第２０１５／０５６４３４号（周知技術を示す文献）
引用文献５：米国特許出願公開第２０１５／０２４５８０８号明細書（周知技術を示す文献）
引用文献６：特開平４−２８３３８号公報（周知技術を示す文献）
引用文献７：米国特許第６００１０６０号明細書（周知技術を示す文献）
引用文献８：米国特許出願公開第２０１４／０３１６２８７号明細書（周知技術を示す文献）
引用文献９：米国特許出願公開第２０１５／０２３８０９６号明細書（周知技術を示す文献）
第４　引用文献の記載及び引用発明
１　引用文献１
（１）原査定の拒絶の理由で引用された引用文献１には、図面とともに、次の記載がある。なお、下線は当審で付与したものである。
（引１―ア）
「【００２０】
医用画像処理装置１２は、
パラメトリック画像生成部２１を有する。
【００２１】
  このような機能を有する医用画像処理装置１２は、コンピュータに医用画像処理プログラムを読込ませることによって構築することができる。但し、医用画像処理装置１２を構成するために回路を用いてもよい。
【００２２】
  画像メモリ１６は、撮影系２によって収集されたＸ線画像データを保存するための記憶装置である。従って、非造影でＸ線撮影を行えば、非造影のＸ線画像データが画像メモリ１６に保存され、造影剤を被検体Ｏに注入してＸ線撮影を行えば、Ｘ線造影画像データが画像メモリ１６に保存される。
【００２３】
  サブトラクション部１７は、画像メモリ１６から読み込んだ非造影のＸ線画像データと、時系列のＸ線造影画像データとの差分（サブトラクション）処理によって造影血管が描出された時系列のDSA画像データを生成する機能を有する。
【００２４】
  フィルタリング部１８は、高周波強調フィルタ、ローパスフィルタ及び平滑化フィルタ等の所望のフィルタ処理を任意のデータに対して実行する機能を有する。
【００２５】
  アフィン変換部１９は、コンソール５から入力される指示情報に従ってＸ線画像データの拡大、縮小、回転移動及び平行移動等のアフィン変換処理を実行する機能を有する。
【００２６】
  階調変換部２０は、LUT（Look Up Table）を参照して、Ｘ線画像データの階調変換を行う機能を有する。
【００２７】
  
パラメトリック画像生成部２１は、時系列のDSA画像データ又はＸ線造影画像データに基づいて造影剤の濃度の時間変化を取得する機能と、造影剤の濃度が特定の条件となる時間に対応する画素値を有するパラメトリック画像データを血管画像データとして生成する機能を有する。
（引１―イ）
「【００３０】
  図２は、造影剤の濃度プロファイルに基づいて血管への造影剤の流入時刻又は到達時刻を同定する方法を示す図である。
【００３１】
  図２において横軸は、時相方向を示し、縦軸は、造影剤の濃度を表すDSA画像データ又は造影画像データの画像信号の強度を示す。
図２に示すように時系列のDSA画像データ又は造影画像データの血管領域に対応するピクセル（画素）に着目すると、時間的に信号強度が変化するカーブとして造影剤の濃度変化プロファイルを取得することができる。
【００３２】
  典型的な濃度変化プロファイルは、造影剤の流入に伴って値が次第に増加し、造影剤の流出に伴って値が次第に減少するカーブとなる。従って、濃度変化プロファイルの値に対してカーブの立ち上がりを検出するための閾値THを設定すれば、造影剤の濃度が閾値THに達した時相Tthとして、着目する血管への造影剤の流入開始時相を同定することが可能となる。
【００３３】
  但し、ノイズが大きい場合には、造影剤の流入開始時相が誤って同定される恐れがある。そこで、ノイズの影響が抑制されるように、造影剤の濃度プロファイルの最大値の５パーセントから１０パーセントの範囲の所定の割合を閾値としてもよい。或いは、造影剤が血管に到達した時相として、図２に示すように造影剤の濃度が最大値MAXとなった時相Tmaxや最大値MAXの５０パーセントに達した時相Tmax/2を濃度プロファイルから検出するようにしてもよい。以降では、主として造影剤の到達時相を同定する場合を例に説明する。
【００３４】
  図２に示すような造影剤の濃度プロファイルに基づく時相の特定を全ての画素に対して実行し、特定された時相に応じたカラーを割り当てると、造影剤の到達時刻等に応じたカラーで各血管が描出されたパラメトリック画像データを生成することができる。
【００３５】
  
但し、移動平均化処理によって複数の画素を代表する画素について造影剤の濃度の時間変化を求めるようにしてもよい。つまり、平滑化処理を伴って、造影剤の濃度変化を求める対象となる画像データのマトリクスサイズを縮小することができる。また、ローパスフィルタ処理によってノイズを除去した画像データに基づいて造影剤の濃度変化を求めるようにしてもよい。これは、空間方向における造影剤の濃度プロファイルに対する移動平均化処理及びローパスフィルタ処理ということもできる。
【００３６】
  
移動平均化処理及びローパスフィルタ処理は、空間方向に限らず、時間方向に実行することもできる。移動平均化処理及びローパスフィルタ処理を時間方向に実行する場合には、時間方向における造影剤の濃度プロファイルに対して処理が実行されることとなる。
【００３７】
  
従って、時間方向及び空間方向の少なくとも一方における移動平均処理後の造影剤の濃度の時間変化に基づいて、パラメトリック画像データを生成することができる。また、時間方向及び空間方向の少なくとも一方におけるローパスフィルタ処理後の造影剤の濃度の時間変化に基づいて、パラメトリック画像データを生成することができる。これにより、ノイズが除去された平滑なパラメトリック画像データを生成することが可能となる。
（引１―ウ）　図１
                              
（引１―エ）　図２
 
（２）上記記載から、引用文献１には、次の技術的事項が記載されているものと認められる。
ア　上記（１）（引１―ア）の
「【００２７】
パラメトリック画像生成部２１は、時系列のDSA画像データ又はＸ線造影画像データに基づいて造影剤の濃度の時間変化を取得する機能と、造影剤の濃度が特定の条件となる時間に対応する画素値を有するパラメトリック画像データを血管画像データとして生成する機能を有する。」
　、上記（１）（引１―イ）の
「【００３１】
　図２に示すように時系列のDSA画像データ又は造影画像データの血管領域に対応するピクセル（画素）に着目すると、時間的に信号強度が変化するカーブとして造影剤の濃度変化プロファイルを取得することができる。」
　、及び、（１）（引１―ウ）の図１から、引用文献１には、「時系列のDSA画像データ又はＸ線造影画像データに基づいて、造影画像データの血管領域に対応するピクセル（画素）に着目し、時間的に信号強度が変化するカーブとして造影剤の濃度変化プロファイルを取得するパラメトリック画像生成部２１」が記載されているものと認められる。
イ　上記（１）（引１―イ）の
「【００３５】
　但し、移動平均化処理によって複数の画素を代表する画素について造影剤の濃度の時間変化を求めるようにしてもよい。つまり、平滑化処理を伴って、造影剤の濃度変化を求める対象となる画像データのマトリクスサイズを縮小することができる。また、ローパスフィルタ処理によってノイズを除去した画像データに基づいて造影剤の濃度変化を求めるようにしてもよい。これは、空間方向における造影剤の濃度プロファイルに対する移動平均化処理及びローパスフィルタ処理ということもできる。
【００３６】
　移動平均化処理及びローパスフィルタ処理は、空間方向に限らず、時間方向に実行することもできる。移動平均化処理及びローパスフィルタ処理を時間方向に実行する場合には、時間方向における造影剤の濃度プロファイルに対して処理が実行されることとなる。
【００３７】
　従って、時間方向及び空間方向の少なくとも一方における移動平均処理後の造影剤の濃度の時間変化に基づいて、パラメトリック画像データを生成することができる。また、時間方向及び空間方向の少なくとも一方におけるローパスフィルタ処理後の造影剤の濃度の時間変化に基づいて、パラメトリック画像データを生成することができる。これにより、ノイズが除去された平滑なパラメトリック画像データを生成することが可能となる。」
　から、「時間方向における造影剤の濃度プロファイルに対して、移動平均化処理が実行され、ノイズが除去された平滑なパラメトリック画像データを生成する」ことが読み取れる。
　また、上記「時間方向における造影剤の濃度プロファイルに対して、移動平均化処理が実行され、ノイズが除去された平滑なパラメトリック画像データを生成する」ことは、上記（１）（引１―ア）の段落【００２７】、及び、（１）（引１―ウ）の図１に記載された「パラメトリック画像生成部２１」において実行されることが読み取れる。
ウ　上記（１）（引１―ア）の
「【００２０】
　医用画像処理装置１２は、・・・パラメトリック画像生成部２１を有する。」
　から、引用文献１には、「パラメトリック画像生成部２１を有する医用画像処理装置１２」が記載されているものと認められる。
　以上を踏まえると、引用文献１には、次の発明（以下「引用発明」という。）が記載されていると認められる。
「時系列のDSA画像データ又はＸ線造影画像データに基づいて、造影画像データの血管領域に対応するピクセル（画素）に着目し、時間的に信号強度が変化するカーブとして造影剤の濃度変化プロファイルを取得し、
　時間方向における造影剤の濃度プロファイルに対して、移動平均化処理が実行され、ノイズが除去された平滑なパラメトリック画像データを生成するパラメトリック画像生成部２１、
　を有する医用画像処理装置１２。」
２　引用文献３
（１）　原査定の拒絶の理由で引用された引用文献３には、図面とともに、次の記載がある。なお、下線は当審で付与したものである。
（引３―ア）
「【００１９】
  TDC取得部９は、データ収集系３によるプレスキャンによって収集された生体データに基づいて造影剤の濃度の時間変化に対応するデータを造影剤のTDCとして取得する機能と、造影剤のTDCを表示装置７に表示させる機能を有する。
【００２０】
  例えば、画像診断装置１がX線CT装置である場合には、X線CT画像データに設定されたROI内におけるCT値の変化として造影剤のTDCを作成することができる。また、画像診断装置１がMRI装置である場合には、MR画像データに設定されたROI内における画素値又は所定の領域から収集されたMR信号の信号値の変化として造影剤のTDCを作成することができる。」
（引３―イ）
「【００３０】
  図３(A)に示すように
X線CT画像上にROIを設定
TDCとしてROI内における造影剤の濃度をモニタリングすることができる
【００３１】
  造影剤は、徐々にROI内に流れ込むため、TDCがROI内における造影剤の濃度に対応していれば、TDCは急激に上昇又は減少することはなく連続的に徐々に上昇する。しかし、図３(A)に示すようにROI付近にX線の高吸収体が存在すると、高吸収体の影響によってX線CT画像データのROI内にアーチファクトが生じる場合がある。
ROI内にアーチファクトが出現すると、TDCは急激に上昇した後、再び急激に減少する。
【００３２】
  このため、図２に示すように、TDCが第２の閾値TH2を超えた場合にイメージングスキャンのトリガ信号が生成される場合において、アーチファクトによってTDCが急激に上昇して第２の閾値TH2を超えると、造影剤がROI内に到達していないにも関わらずトリガ信号が生成されてしまう。
【００３３】
  そこで、TDC上のあるCT値が第２の閾値TH2を超えた場合に、直前にサンプリングされたCT値との差分ΔCTが算出される。そして、CT値の差分ΔCTと第１の閾値TH1を比較し、第１の閾値TH1よりもCT値の差分ΔCTの方が大きい場合には、トリガ信号を生成しないようにトリガ生成部１０を制御することができる。例えば、ROIが頸動脈に設定されている場合には、第１の閾値TH1を30 HU (Hounsfield Unit)程度に設定することができる。
【００３４】
  
このような第１の閾値処理によって、TDCの変動量の指標である隣接するCT値の差分ΔCTが急激に変化した場合に、TDCの上昇がアーチファクトに起因するものと判定してトリガ信号を生成しないようにすることができる。
【００３５】
  尚、上述したように、CT値の差分ΔCTと第１の閾値TH1を比較し、CT値の差分ΔCTが第１の閾値TH1以下であると判定された場合にCT値と第２の閾値TH2との比較判定を行うようにしてもよい。また、隣接するCT値間における差分ΔCTをTDCの変動量の指標とすれば、十分にCT値の上昇の原因がアーチファクトによるものか否かを判定できると考えられるが、あるCT値とそれ以前のn個(nは自然数)のCT値の平均値との差分をTDCの変動量の指標として第１の閾値TH1と比較するようにしてもよい。」
（引３―ウ）　図２
 
（２）上記記載から、引用文献３には、次の技術的事項（以下「引用文献３技術事項」という。）が記載されているものと認められる。
（引用文献３技術事項）
「X線CT画像上に設定したROIにおけるTDCを取得する際に、ROI内にアーチファクトが出現すると、TDCは急激に上昇した後、再び急激に減少することが生じるため、第１の閾値処理によって、TDCの変動量の指標である隣接するCT値の差分ΔCTが急激に変化した場合に、TDCの上昇がアーチファクトに起因するものと判定してトリガ信号を生成しないようにする。」
第５　対比
１　本件補正発明１と引用発明とを対比すると、以下のとおりとなる。
（１）引用発明の「時系列のDSA画像データ又はＸ線造影画像データ」は、本件補正発明１の「造影剤を用いて経時的に収集された複数のＸ線画像」に相当し、引用発明の「造影画像データの血管領域に対応するピクセル（画素）に着目し、時間的に信号強度が変化するカーブとして造影剤の濃度変化プロファイルを取得」することは、本件補正発明１の「複数のＸ線画像における画素ごとの信号強度の経時的な遷移を取得する」ことに相当する。
　したがって、引用発明の「時系列のDSA画像データ又はＸ線造影画像データに基づいて、造影画像データの血管領域に対応するピクセル（画素）に着目し、時間的に信号強度が変化するカーブとして造影剤の濃度変化プロファイルを取得・・・するパラメトリック画像生成部２１」は、本件補正発明１の「造影剤を用いて経時的に収集された複数のＸ線画像における画素ごとの信号強度の経時的な遷移を取得する取得部」に相当する。
（２）引用発明の「移動平均化処理」は、隣接する信号を含む前後の複数の信号に基づいて、ある信号を平均化する処理であるので、引用発明の「時間方向における造影剤の濃度プロファイルに対して、移動平均化処理が実行され、ノイズが除去された平滑なパラメトリック画像データを生成するパラメトリック画像生成部２１」と、本件補正発明１の「前記信号強度の経時的な遷移において時系列的に隣接する信号の信号強度に基づいて、隣接する信号の信号強度の値と乖離する値を有する乖離信号を除去した信号強度の経時的な遷移に補正する補正部」とは、「前記信号強度の経時的な遷移において時系列的に隣接する信号の信号強度に基づいて、補正する補正部」である点で共通する。
（３）引用発明の「医用画像処理装置１２」は、本件補正発明１の「医用画像処理装置」に相当する。
２　以上のことから、本件補正発明１と引用発明との一致点及び相違点は、次のとおりである。
　【一致点】
「造影剤を用いて経時的に収集された複数のＸ線画像における画素ごとの信号強度の経時的な遷移を取得する取得部と、
　前記信号強度の経時的な遷移において時系列的に隣接する信号の信号強度に基づいて、補正する補正部と、
　を備える、医用画像処理装置。」　
　【相違点】
　本件補正発明の「補正部」は、「隣接する信号の信号強度の値と乖離する値を有する乖離信号を除去した信号強度の経時的な遷移に補正」しているのに対して、引用発明の「パラメトリック画像生成部２１」は、「移動平均化処理が実行され、ノイズが除去された平滑なパラメトリック画像データを生成」しているものの、「乖離信号を除去」しているといえるか、定かではない点。
第６　判断
　以下、相違点について検討する。
１　相違点について
　本願明細書の発明の詳細な説明には、以下の記載がある（下線は当審が付した。）。
「【００４１】
  
補正機能２１２は、信号強度の経時的な遷移において時系列的に隣接する信号の信号強度に基づいて、隣接する信号の信号強度の値と乖離する値を有する乖離信号の信号強度の値を除くように、信号強度の経時的な遷移を補正する。
【００４２】
例えば、補正機能２１２は、乖離信号の信号強度の値と時系列的に連続する所定数の信号の信号強度の値とを平均した値を、乖離信号の信号強度の値として用いることで、ＴＩＣを補正する。すなわち、補正機能２１２は、取得機能２１１によって取得されたＴＩＣの各信号について、連続する所定数の信号とそれぞれ平均し、平均した値に置換する補正処理を実行する。換言すると、補正機能２１２は、ＴＩＣに対して平滑化処理を実行することで、ＴＩＣに含まれる乖離信号を除く。
【００４３】
  例えば、補正機能２１２は、ＴＩＣにおいてスパイク形状を示す信号「ｅ」の値を時系列的に連続する他の信号の値との平均値に置換する。一例を挙げると、補正機能２１２は、信号「ｅ」のフレームよりも前の４フレーム分の信号「ａ」〜信号「ｄ」の値と、信号「ｅ」の値を平均する。そして、補正機能２１２は、信号「ｅ」の値を平均値に置換することで、スパイク形状を示す信号「ｅ」を除く。
ここで、上述した平均処理は、スパイク形状を示す乖離信号のみを対象にするだけではなく、すべての信号に対して実行する場合であってもよい。
【００４４】
  ここで、上述した例では、５フレームで平均する場合を説明したが、実施形態はこれに限定されるものではなく、平均処理に用いるフレーム数は任意に決定することができる。例えば、造影画像が収集された収集レート（フレームレート）及び造影画像の撮像対象部位に基づいて設定される場合であってもよい。また、上述した例では、時系列的に前の４フレーム分の値と平均する場合を説明したが、実施形態はこれに限定されるものではなく、平均処理に用いるフレームは任意に決定することができる。例えば、置換の対象となるフレームの前後２フレーム分の信号強度の値と平均する場合であってもよい。
【００４５】
  
上述した平均処理をＴＩＣの全ての信号に対して実行することによって、例えば、図４Ｂに示すように、スパイク状の乖離信号を除去した曲線状のＴＩＣに補正することができる。
　上記のように、本願明細書の発明の詳細な説明には、「隣接する信号の信号強度の値と乖離する値を有する乖離信号の信号強度の値を
除くように
除去
　さらに、上記発明の詳細の説明には、「ここで、上述した平均処理は、スパイク形状を示す乖離信号のみを対象にするだけではなく、すべての信号に対して実行する場合であってもよい。」、「上述した平均処理をＴＩＣの全ての信号に対して実行することによって、例えば、図４Ｂに示すように、スパイク状の乖離信号を除去した曲線状のＴＩＣに補正することができる。」とも記載されており、本件補正発明１の「乖離信号を除去」する補正は、「信号強度の経時的な遷移」における「乖離信号」のみに対して実行されるもののみならず、「信号強度の経時的な遷移」全体に対して実行されるものを含むものと解するのが相当である。
　してみると、引用発明の「時間方向における造影剤の濃度プロファイルに対して、移動平均化処理が実行」されることと、本件補正発明１の「前記信号強度の経時的な遷移において時系列的に隣接する信号の信号強度に基づいて、隣接する信号の信号強度の値と乖離する値を有する乖離信号を除去した信号強度の経時的な遷移に補正する」ことに差異はない。
　そうすると、上記相違点は、実質的な相違点ではない。
　したがって、本件補正発明１は、引用発明であり、また、引用発明から、当業者が容易に想到しうるものである。
　上記のとおり、上記相違点は実質的な相違点ではないが、本願明細書の発明の詳細な説明に、以下の記載があることから、追加的検討を行う。
「【００４６】
  上述した例では、信号強度の値を平均する補正処理を実行する場合について説明したが、第１の実施形態に係る補正機能２１２は、その他の補正処理を実行することも可能である。例えば、補正機能２１２は、隣接する信号の信号強度の値との差が所定の閾値を超えた値を有する信号を乖離信号と判定し、乖離信号を間引くことで、信号強度の経時的な遷移を補正する。」
「【００４８】
  ここで、上述した平均処理と間引き処理とを組み合わせて用いることもできる。例えば、補正機能２１２は、まず、間引き処理によって大きく乖離した乖離信号を除去した後に、平均処理を実行する。これにより、平均値に及ぼす乖離信号の影響を低減することができる。また、例えば、補正機能２１２は、間引き処理における乖離信号の判定を行った後、信号の間引きを行わずに、乖離信号に対する平均処理を実行することもできる。」
　上記の記載を考慮すると、本件補正発明１の「隣接する信号の信号強度の値と乖離する値を有する乖離信号を
除去
　よって、本件補正発明１の「隣接する信号の信号強度の値と乖離する値を有する乖離信号を除去」する補正について、「隣接する信号の信号強度の値との差が所定の閾値を超えた値を有する信号を乖離信号と判定し、乖離信号を間引く」補正であるとした場合について以下検討する。
　上記「第４　２　引用文献３（２）」に示したとおり、引用文献３には、「X線CT画像上に設定したROIにおけるTDCを取得する際に、ROI内にアーチファクトが出現すると、TDCは急激に上昇した後、再び急激に減少することが生じるため、第１の閾値処理によって、TDCの変動量の指標である隣接するCT値の差分ΔCTが急激に変化した場合に、TDCの上昇がアーチファクトに起因するものと判定してトリガ信号を生成しないようにする。」という引用文献３技術事項が開示されており、上記「隣接するCT値の差分ΔCT」は、本件補正発明１の「隣接する信号の信号強度の値との差」に相当し、上記「第１の閾値処理によって、TDCの変動量の指標である隣接するCT値の差分ΔCTが急激に変化した場合に、TDCの上昇がアーチファクトに起因するものと判定」することは、本件補正発明１の「隣接する信号の信号強度の値との差が所定の閾値を超えた値を有する信号を乖離信号と判定」することに相当し、上記「トリガ信号を生成しないようにする」ことは、本件補正発明１の「乖離信号を間引く」ことに相当する。
　したがって、X線画像における画素ごとの信号強度の経時変化（上記引用文献３技術事項における「TDC」）において、「隣接する信号の信号強度の値との差が所定の閾値を超えた値を有する信号を乖離信号と判定し、乖離信号を間引く」ことは、引用文献３に開示される事項である。
　そして、「時系列のDSA画像データ又はＸ線造影画像データに基づいて、・・・造影剤の濃度変化プロファイルを取得」し、「時間方向における造影剤の濃度プロファイルに対して、」ノイズを除去するものである引用発明において、引用文献３技術事項と同様に、アーチファクトに起因する濃度変化プロファイルの急激な変化に対応するために、閾値処理によって隣接する信号強度の差分が急激に変化した場合の信号を間引く構成を採用することは、当業者が容易に想到しうることである。
　したがって、本件補正発明１の「隣接する信号の信号強度の値と乖離する値を有する乖離信号を除去」する補正を、「隣接する信号の信号強度の値との差が所定の閾値を超えた値を有する信号を乖離信号と判定し、乖離信号を間引く」補正であるとした場合でも、上記本件補正発明１は、引用発明、及び、引用文献３技術事項に基づいて、当業者が容易に想到しうるものである。
２　したがって、本件補正発明１は、引用発明であり、また、引用発明から、当業者が容易に想到しうるものであるから、特許法２９条１項３号、及び、２９条２項の規定により、特許を受けることができないものである。
第７　むすび
　以上のとおり、本件補正発明１は、特許法２９条１項３号、及び、２９条２項の規定により特許を受けることができないから、他の請求項に係る発明について検討するまでもなく、本願は拒絶されるべきものである。
よって、結論のとおり審決する。